(57)【要約】【課題】  レールにゴミがたまることがなく、かつレールの室内側に生じた水を排水可能な下枠を備えるサッシを提供する。【解決手段】  下枠本体と、下枠本体の上面に取り付けた下枠補助材とを備え、下枠補助材は、上側面部と、レールと、ホロー部と、壁面部と、排水孔とを有しており、上側面部は、上面が略フラットに形成してあり、レールは、障子の戸車が走行するものであって、上側面部から上向きに突出しており、ホロー部は、上側面部の下側に形成してあり、壁面部は、レールの下側に形成してあって、ホロー部の一部を構成するものであり、排水孔は、上側面部のレールの室内側に形成してあって、排水孔から浸入した水がホロー部を経由して室外側へ排水される。【選択図】      図１
2014005609.tif 000002
【特許請求の範囲】
【請求項１】
下枠本体と、下枠本体の上面に取り付けた下枠補助材とを備え、下枠補助材は、上側面部と、レールと、ホロー部と、壁面部と、排水孔とを有しており、上側面部は、上面が略フラットに形成してあり、レールは、障子の戸車が走行するものであって、上側面部から上向きに突出しており、ホロー部は、上側面部の下側に形成してあり、壁面部は、レールの下側に形成してあって、ホロー部の一部を構成するものであり、排水孔は、上側面部のレールの室内側に形成してあって、排水孔から浸入した水がホロー部を経由して室外側へ排水されるものであることを特徴とするサッシ。
【発明の詳細な説明】
【技術分野】
【０００１】
本発明は、下枠の上面をフラットに形成したサッシに関する。
【背景技術】
【０００２】
下枠の上面をフラットに形成したバリアフリータイプのサッシにおいては、下枠が、下枠本体と、その上側に取り付けた下枠補助材からなるものが一般的である。そして従来、特許文献１に示すように、下枠補助材の上面に、障子の戸車が走行するレールが溝状に形成されていた。
【先行技術文献】
【特許文献】
【０００３】
【特許文献１】特開２００２−２２７５５０号公報
【発明の概要】
【発明が解決しようとする課題】
【０００４】
しかし、このような形状にした場合、レールの内部にゴミなどがたまり、その上を戸車が走行するため、レールに傷が付くという問題があった。また、このように下枠の上面をフラットにする場合、上面に大きな勾配を設けることができないので、水の流路を形成することが難しく、特に室内側で生じた結露水などを室外側に排水するための流路をどのように確保するかが問題であった。
【０００５】
本発明は、上記事情を鑑みたものであり、レールにゴミがたまることがなく、かつレールの室内側に生じた水を排水可能な下枠を備えるサッシを提供することを目的とする。
【課題を解決するための手段】
【０００６】
本発明は、下枠本体と、下枠本体の上面に取り付けた下枠補助材とを備え、下枠補助材は、上側面部と、レールと、ホロー部と、壁面部と、排水孔とを有しており、上側面部は、上面が略フラットに形成してあり、レールは、障子の戸車が走行するものであって、上側面部から上向きに突出しており、ホロー部は、上側面部の下側に形成してあり、壁面部は、レールの下側に形成してあって、ホロー部の一部を構成するものであり、排水孔は、上側面部のレールの室内側に形成してあって、排水孔から浸入した水がホロー部を経由して室外側へ排水されるものであることを特徴とする。
【発明の効果】
【０００７】
本発明によれば、レールを上向きに突出する形状としたので、ゴミがたまることがない。そして、レールの室内側に生じた水を、ホロー部を経由して室外側へ排水できる。また、レールが受ける障子の荷重は、レールの下側の壁面部及びこの壁面部が構成するホロー部により、安定して支持することができる。そして、このようにホロー部が排水経路としての機能と補強構造としての機能を併せ持つことにより、下枠の構造が単純なものとなり、コンパクトに形成できる。
【図面の簡単な説明】
【０００８】
【図１】第一実施形態の下枠部分の縦断面図である。
【図２】第一実施形態の下枠本体を示し、（ａ）は上面図、（ｂ）は正面図、（ｃ）は側面図である。
【図３】第一実施形態の下枠補助材を示し、（ａ）は上面図、（ｂ）は正面図、（ｃ）は下面図、（ｄ）は側面図である。
【図４】（ａ）は第一実施形態の平面図であり、（ｂ）は排水経路を示す平面図、（ｃ）は排水経路を示す縦断面図である。
【図５】第一実施形態の左側端部部品を示し、（ａ）は平面図、（ｂ）は側面図である。
【図６】第一実施形態の右側端部部品を示し、（ａ）は平面図、（ｂ）は側面図である。
【図７】第二実施形態の下枠部分の縦断面図である。
【図８】第三実施形態の下枠部分の縦断面図である。
【図９】第四実施形態の下枠部分の縦断面図である。
【図１０】第五実施形態の下枠部分の縦断面図である。
【図１１】第六実施形態の下枠部分の縦断面図である。
【図１２】第七実施形態の下枠部分の縦断面図である。
【発明を実施するための形態】
【０００９】
以下、本発明の実施の形態を図面に基づいて説明する。なお、以下において左右とは、図４（ａ）における左右（サッシを室外側から見たときの左右）を示すものとする。このサッシの第一実施形態は、上枠と、下枠１０と、左右の縦枠２０とを四周枠組みした枠体に、二枚の障子（外障子４ａと内障子４ｂ）を引違いに納めた引違い窓を構成する。これらの障子を閉鎖した際、外障子４ａは右側、内障子４ｂは左側に位置する。そして、下枠１０は、左右の縦枠２０と枠組みした下枠本体１と、下枠本体１の上面に取り付けた下枠補助材２とを備えている。下枠補助材２の上面は略フラットに形成されており、つまずきなどを防いだバリアフリータイプのものとなっている。以下、下枠１０の構成について詳述する。なお、後記のとおり、サッシの右側部分（外障子４ａが位置する側）と左側部分（内障子４ｂが位置する側）とで排水孔の有無が異なるが、図１はサッシの右側部分における断面を示したものである。ただし、本来サッシの左側に位置する内障子４ｂや、本来左右方向位置が異なる各排水孔２５ａ〜２５ｅのすべてを、一つの図面に模式的に示してある。
【００１０】
下枠本体１は、アルミ形材からなるものであり、図１及び図２に示すように、本体上側面部１１と、本体ホロー部１２と、起立片１３と、網戸レール１４とを備える。本体上側面部１１は、室内外に延び、室外側に向けて緩やかに下方に傾斜している。そして、本体ホロー部１２は、本体上側面部１１の下側に形成した断面略矩形の空隙である。その室外側端は本体上側面部１１の室外側端に一致し、室内側端は本体上側面部１１の室内外中央部に位置しており、本体上側面部１１もその一部（上側面）を構成する。また、起立片１３は、本体上側面部１１の室内側端から垂直上方に延びている。さらに、網戸レール１４は、本体ホロー部１２の室外側面に形成してあり、断面略Ｌ字形である。そして、図２に示すように、本体ホロー部１２の上側面（本体上側面部１１）には、本体上面排水孔１５を形成してあり、本体ホロー部１２の室外側面には、本体正面排水孔１６を形成してある。本体上面排水孔１５と本体正面排水孔１６は、何れも略矩形の貫通孔であって、それぞれ左右方向に複数個形成してある。なお、本体正面排水孔１６には開閉弁（図示省略）を取り付けてあり、本体ホロー部１２及びそれに連通する空隙を室内圧に維持して、効率的に排水できるようにしてある。
【００１１】
次に、下枠補助材２は、樹脂からなるものである。図１及び図３に示すように、上面には、室外側の外上側面部２１ａと、室内側の内上側面部２１ｂが形成されており、外上側面部２１ａの室外側には外溝２６ａが、外上側面部２１ａと内上側面部２１ｂの間には内溝２６ｂが形成されている。外上側面部２１ａは、室内外に延び、室外側部分は略水平で、室内側部分は室内側に向けて緩やかに下方に傾斜している。一方、内上側面部２１ｂは、室内外に伸び、室外側部分は略水平で、室内側部分は室外側に向けて緩やかに下方に傾斜している。そして、外溝２６ａ及び内溝２６ｂは、何れも上向きに開口する断面略Ｕ字形の溝である。また、外上側面部２１ａの室外側の水平部分と、内上側面部２１ｂの室外側の水平部分には、それぞれ外レール２２ａと内レール２２ｂが形成してある。外レール２２ａ及び内レール２２ｂは、何れも上向きに突出するものであって、曲線的に微小隆起した形状である。このように、外上側面部２１ａ及び内上側面部２１ｂが水平面又は緩やかな傾斜面となっており、また外レール２２ａ及び内レール２２ｂは微小隆起した形状であるから、下枠補助材２（外上側面部２１ａ及び内上側面部２１ｂ）の上面は、略フラットであるといえる。
【００１２】
また、内レール２２ｂの下側には、略垂直向きの壁面部２４を形成してある。壁面部２４は、下枠補助材２の内上側面部２１ｂから、下枠本体１の本体上側面部１１まで延びるものである。さらに、内上側面部２１ｂを上側面、壁面部２４を室外側面として、略矩形の内ホロー部２３ｂを形成してある。内ホロー部２３ｂの下側面は、下枠本体１の本体上側面部１１に当接しており、内ホロー部２３ｂの室内側面は、下枠本体１の起立片１３に近接して対向している。また、外レール２２ａの下側には、外ホロー部２３ａを形成してある。外ホロー部２３ａは、外上側面部２１ａの水平部分を上側面として、室外側部分は外溝２６ａの下側に回り込むように形成してあり、下側面は下枠本体１の本体上側面部１１に当接しており、室外側面は下枠補助材２の室外側端に位置している。なお、外ホロー部２３ａと内ホロー部２３ｂの間には、外上側面部２１ａ及び内溝２６ｂを上側面、下枠本体１の本体上側面部１１を下側面として、中間空隙部２３ｃが形成される。下枠本体１の本体上面排水孔１５は、中間空隙部２３ｃに連通している。そして、内レール２２ｂの室内側、すなわち内上側面部２１ｂの水平部分には、上面排水孔２５ａが形成してあり、上面排水孔２５ａは内ホロー部２３ｂに連通している。また、内ホロー部２３ｂの室外側下端部には、下部排水孔２５ｂが形成してあり、中間空隙部２３ｃに連通している。よって、内上側面部２１ｂから、上面排水孔２５ａ、内ホロー部２３ｂ、下部排水孔２５ｂ、中間空隙部２３ｃ、本体上面排水孔１５、本体ホロー部１２及び本体正面排水孔１６を経由して室外側に連通する排水経路が形成される。さらに、外溝２６ａの底部には外溝排水孔２５ｃが形成してあり、外ホロー部２３ａに連通している。また、内溝２６ｂの底部には内溝排水孔２５ｄが形成してあり、中間空隙部２３ｃに連通している。さらに、外ホロー部２３ａの室外側面には正面排水孔２５ｅが形成してあり、室外側と連通している。これらの排水孔は、何れも左右方向に複数個形成してある。ただし、内溝排水孔２５ｄは、下枠補助材２の中央より右側部分のみに形成してある。そして、内溝２６ｂの中央には閉止部材２８を挿入してあって、内溝２６ｂを左右に遮断している（図４（ｂ））。
【００１３】
そして、外レール２２ａ及び内レール２２ｂの上を、それぞれ外障子４ａと内障子４ｂの戸車４１ａ，４１ｂが走行する。なお、外障子４ａと内障子４ｂは、何れも室外側下端部から下方に延びる垂下片４２ａ，４２ｂを有しており、外障子４ａの垂下片４２ａが外溝２６ａに挿入されており、内障子４ｂの垂下片４２ｂが内溝２６ｂに挿入されている。そして、外溝２６ａ内の室内側面及び内溝２６ｂ内の室外側面と室内側面にはタイト材２７が取り付けてあって、各タイト材２７は垂下片４２ａ，４２ｂに当接しており、室内外を遮断して気密性・水密性を確保している。
【００１４】
さらに、図４（ａ）に示すように、下枠補助材２の左右両端と、左右の縦枠２０の間には、それぞれ端部部品（左側端部部品３Ｌ、右側端部部品３Ｒ）を設けてある。図５及び図６に示すように、何れの端部部品も、ブロック状のもので、外ホロー部２３ａ、内ホロー部２３ｂ及び中間空隙部２３ｃに挿入して係合する突起３１ａ，３１ｂ，３１ｃを有している。また、各端部部品は、縦枠２０の内周側面に当接している。そして、左側端部部品３Ｌは、その右側面によって、外ホロー部２３ａ、中間空隙部２３ｃ及び外溝２６ａの左端を塞いでいる。また、室内側には内ホロー部２３ｂと連通する内ホロー部連通部３２Ｌを形成してあり、内ホロー部連通部３２Ｌは、略Ｕ字形状で上側に開口している。さらに、室内外中央部には、内溝２６ｂに連通する内溝連通部３３Ｌを形成してあり、内溝連通部３３Ｌは、上側、左側及び室外側に開口している。ただし、内溝連通部３３Ｌの左側には縦枠２０の内周側面が位置しているので、内溝連通部３３Ｌは内溝２６ｂから室外側へ至る排水経路となっている。一方、右側端部部品３Ｒは、その左側面によって、外ホロー部２３ａ及び中間空隙部２３ｃの右端を塞いでいる。また、室内側には、内ホロー部２３ｂと連通する内ホロー部連通部３２Ｒを形成してあり、内ホロー部連通部３２Ｒは、略Ｕ字形状で上側に開口している。さらに、室内外中央部には、内溝２６ｂに連通する内溝連通部３３Ｒを形成してあり、内溝連通部３３Ｒは、略Ｕ字形状で上側に開口している。また、室外側には、外溝２６ａと連通する外溝連通部３４Ｒを形成してあり、外溝連通部３４Ｒは上側、右側及び室外側に開口している。ただし、外溝連通部３４Ｒの右側には縦枠２０の内周側面が位置しているので、外溝連通部３４Ｒは外溝２６ａから室外側へ至る排水経路となっている。
【００１５】
次に、図４に基づき、この下枠１０の上面に生じた水（結露水や、室外側から吹き込む雨水など）の排水経路について説明する。まず、内レール２２ｂの室内側に生じた水は、内上側面部２１ｂの傾斜に沿って室外側へ流れ、内レール２２ｂの室内側に形成した上面排水孔２５ａへと流れ落ちる。そして水は、上記の排水経路、すなわち、上面排水孔２５ａから、内ホロー部２３ｂ、下部排水孔２５ｂ、中間空隙部２３ｃ、本体上面排水孔１５、本体ホロー部１２及び本体正面排水孔１６を経由して室外側に排水される（Ａ矢印）。また、外レール２２ａと内レール２２ｂの間に生じた水は、サッシの左右で排水経路が異なる。サッシの右側、すなわち外障子４ａの室内側に生じた水は、外上側面部２１ａの傾斜に沿って室内側へ流れ、内溝２６ｂに流入し、内溝２６ｂの底部に形成した内溝排水孔２５ｄに流れ落ちる。そして水は、内溝排水孔２５ｄから、中間空隙部２３ｃ、本体上面排水孔１５、本体ホロー部１２及び本体正面排水孔１６を経由して室外側に排水される（Ｂ矢印）。一方、サッシの左側、すなわち内障子４ｂの室外側に生じた水は、外上側面部２１ａの傾斜に沿って室内側へ流れ、内溝２６ｂに流入し、内溝２６ｂの左端から左側端部部品３Ｌの内溝連通部３３Ｌを経由して室外側に排水される（Ｃ矢印）。さらに、外レール２２ａの室外側に生じた水は、外溝２６ａに流入し、外溝２６ａの底部に形成した外溝排水孔２５ｃに流れ落ちる。そして水は、外溝排水孔２５ｃから、外ホロー部２３ａ及び正面排水孔２５ｅを経由して室外側に排水される（Ｄ矢印）。また、水量が多い場合には、外溝２６ａの右端から右側端部部品３Ｒの外溝連通部３４Ｒも経由して室外側に排水される（Ｅ矢印）。なお、上記のとおり、外障子４ａと内障子４ｂの室外側下端部には垂下片４２ａ，４２ｂを設けてあって、これにタイト材２７が当接することで室内外を遮断している。また、外障子４ａの召合框の下端部にはシールピース（図示省略）を設けてあって、当該部分において室内外を遮断している。そしてこれらによって、図４（ａ）、（ｂ）中の二点鎖線で示すような気密ラインが形成されている。また、図４（ｂ）、（ｃ）中の「内」、「外」は、当該箇所の圧力が室内圧又は室外圧に等しいことを示している。すなわち、内ホロー部２３ｂ及び中間空隙部２３ｃの全部並びに内溝２６ｂの右側部分は、下枠本体１の本体正面排水孔１６に設けた開閉弁によって室外側と遮断されているから、室内圧に等しい。一方、外ホロー部２３ａ及び外溝２６ａの全部並びに内溝２６ｂの左側部分は、室外側と連通しており、室外圧に等しい。
【００１６】
このように構成した下枠１０を備えるサッシによれば、外レール２２ａ及び内レール２２ｂを上向きに突出する形状としたので、ゴミがたまることがない。そして、下枠１０の上面に生じた水を、種々の排水経路を経由して適宜排水できる。すなわち、内レール２２ｂの室内側に生じた水は、内ホロー部２３ｂ、中間空隙部２３ｃ及び本体ホロー部１２を経由して室外側へ排水できる。また、外レール２２ａと内レール２２ｂの間に生じた水は、内溝２６ｂ、中間空隙部２３ｃ及び本体ホロー部１２を経由するか、内溝２６ｂ及び内溝連通部３３Ｌを経由して室外側へ排水できる。さらに、外レール２２ａの室外側に生じた水は、外溝２６ａ及び外ホロー部２３ａを経由するか、外溝２６ａ及び外溝連通部３４Ｒを経由して室外側へ排水できる。なお、気密ラインの室外側で生じた水は、下枠１０の内部の空間（外ホロー部２３ａを除く）を通さないような排水経路となっており、外ホロー部２３ａ以外の各ホロー部、空隙部はすべて室内圧に維持されているので、下枠１０の内部の空間の大部分を、気密ラインの室内側で生じた水の貯留空間として利用することができる。また、内レール２２ｂが受ける内障子４ｂの荷重は、内レール２２ｂの下側の壁面部２４及びこの壁面部２４が構成する内ホロー部２３ｂにより、安定して支持することができる。一方、外レール２２ａが受ける外障子４ａの荷重は、外レール２２ａの下側の外ホロー部２３ａにより、安定して支持することができる。そして、このようにホロー部が排水経路としての機能と補強構造としての機能を併せ持つことにより、下枠１０の構造が単純なものとなり、コンパクトに形成できる。
【００１７】
なお、外上側面部２１ａを室内側に向けて下方に傾斜させて、水が内溝２６ｂに流れるようにしたことで、外上側面部２１ａに排水孔を設ける必要がなくなった。また、下枠本体１の室内側端に起立片１３を設け、下枠補助材２の内ホロー部２３ｂの下側面と室内側面を、それぞれ下枠本体１の本体上側面部１１と起立片１３に略全面で近接させて、内ホロー部２３ｂを下枠本体１に略密着する最大の大きさにしたことで、排水経路の流量にゆとりを持たせることができる。さらに、内ホロー部２３ｂを大きくしたことで、上面排水孔２５ａや下部排水孔２５ｂをプレス加工により形成する際、内ホロー部２３ｂの内部に挿入する下型のサイズを大きくできるので、プレス金型の耐久性を向上させることができる。また、アルミ製の下枠本体１の本体上側面部１１と起立片１３に、樹脂製の下枠補助材２の内ホロー部２３ｂの下側面と室内側面を近接させているため、下枠本体１からの冷気の輻射が抑えられ、断熱性能が高い。さらに、外ホロー部２３ａが外溝２６ａの下側に回り込むように形成してあることで、外溝２６ａの深さが必要以上に深くなりすぎない。外溝２６ａが深くなると、外溝２６ａの室外側壁面が長くなって変形しやすくなってしまうため、これを防いでいる。
【００１８】
続いて、本発明のサッシの異なる実施形態について説明する。以下においては、第一実施形態と異なる部分を中心に説明し、第一実施形態と同じ部分の説明は適宜省略する。なお、第一実施形態と同様に、サッシの右側部分（外障子が位置する側）と左側部分（内障子が位置する側）とで排水孔の有無が異なるが、以下の各図はサッシの右側部分における断面を示したものである。ただし、本来サッシの左側に位置する内障子や、本来左右方向位置が異なる各排水孔のすべてを、一つの図面に模式的に示してある。
【００１９】
まず、本発明の第二実施形態について、図７に基づき説明する。第二実施形態においては、下枠補助材２０２が、室外側補助材２０２ａと室内側補助材２０２ｂの二部材に分割されている。室外側補助材２０２ａは、室外側端から内上側面部２２１ｂの水平部分までを構成しており、室内側補助材２０２ｂは、内上側面部２２１ｂの傾斜部分から室内側端までを構成していて、内上側面部２２１ｂ及び内ホロー部２２３ｂも室内外に分割されている。内レール２２２ｂの下側には、壁面部２２４を形成してある。壁面部２２４は、室外側補助材２０２ａの内上側面部２２１ｂから下側に延び、途中で室外側に屈曲してさらに下側に延びており、内ホロー部２２３ｂの一部を構成するとともに、内溝２２６ｂのタイト材ホルダ及び内溝２２６ｂの一部を構成している。そして、第一実施形態と同じように、内レール２２２ｂの室内側、すなわち室外側補助材２０２ａの内上側面部２２１ｂの水平部分には、上面排水孔２２５ａが形成してあり、上面排水孔２２５ａは内ホロー部２２３ｂに連通している。また、内ホロー部２２３ｂの室外側下端部には、下部排水孔２２５ｂが形成してあり、中間空隙部２２３ｃに連通している。よって、内レール２２２ｂの室内側に生じた水の排水経路は、第一実施形態と同じである。その他、外レール２２２ａと内レール２２２ｂの間及び外レール２２２ａの室外側に生じた水の排水経路も、第一実施形態と同じである。
【００２０】
次に、本発明の第三実施形態について、図８に基づき説明する。第三実施形態においては、下枠補助材３０２の外上側面部３２１ａが、室外側部分は略水平で、室内側部分は室外側に向けて緩やかに下方に傾斜している。外ホロー部３２３ａは、外溝３２６ａの下側に位置していて、下枠補助材３０２の室外側端から外レール３２２ａの直下まで広がっている。そして、サッシの右側において、外レール３２２ａの室内側、すなわち外上側面部３２１ａの水平部分には、外上面排水孔３２５ｆが形成してあり、外上面排水孔３２５ｆは中間空隙部３２３ｃと連通している。よって、外上側面部３２１ａから、外上面排水孔３２５ｆ、中間空隙部３２３ｃ、本体上面排水孔３１５、本体ホロー部３１２及び本体正面排水孔３１６を経由して室外側に連通する排水経路が形成される。なお、サッシの左側においては、外上側面部３２１ａの左端から排水される。その他、内レール３２２ｂの室内側、内溝３２６ｂ及び外レール３２２ａの室外側に生じた水の排水経路は、第一実施形態と同じである。
【００２１】
次に、本発明の第四実施形態について、図９に基づき説明する。第四実施形態においては、下枠補助材４０２の外上側面部４２１ａが、室外側部分は略水平で、室内側部分は室外側に向けて緩やかに下方に傾斜している。そして、下枠補助材４０２が、室外側補助材４０２ａと室内側補助材４０２ｂの二部材に分割されている。室外側補助材４０２ａは、室外側端から外レール４２２ａまでを構成しており、室内側補助材４０２ｂは、外上側面部４２１ａから室内側端までを構成している。外ホロー部４２３ａは、外溝４２６ａの下側に位置していて、室外側補助材４０２ａの室外側端から外レール４２２ａの直下まで広がっている。また、室内側補助材４０２ｂの外上側面部４２１ａの下側に、中間ホロー部４２３ｄを形成してあり、中間ホロー部４２３ｄの下側に中間空隙部４２３ｃが形成される。そして、外ホロー部４２３ａの室内側面から室内側に向けて延出片４２９が延びており、延出片４２９が中間ホロー部４２３ｄの下側面に当接していて、下側からネジ止めしてある。さらに、サッシの右側において、外レール４２２ａの室内側、すなわち外上側面部４２１ａの水平部分には、外上面排水孔４２５ｆが形成してあり、外上面排水孔４２５ｆは中間ホロー部４２３ｄに連通している。また、中間ホロー部４２３ｄの下側面には中間排水孔４２５ｇが形成してあり、中間空隙部４２３ｃと連通している。よって、外上側面部４２１ａから、外上面排水孔４２５ｆ、中間ホロー部４２３ｄ、中間排水孔４２５ｇ、中間空隙部４２３ｃ、本体上面排水孔４１５、本体ホロー部４１２及び本体正面排水孔４１６を経由して室外側に連通する排水経路が形成される。なお、サッシの左側においては、外上側面部４２１ａの左端から排水される。その他、内レール４２２ｂの室内側、内溝４２６ｂ及び外レール４２２ａの室外側に生じた水の排水経路は、第一実施形態と同じである。
【００２２】
次に、本発明の第五実施形態について、図１０に基づき説明する。第五実施形態においては、下枠補助材５０２の外上側面部５２１ａが、室外側部分は略水平で、室内側部分は室外側に向けて緩やかに下方に傾斜している。そして、外レール５２２ａ、外溝５２６ａ及び外ホロー部５２３ａが、下枠本体５０１と一体に形成してある。よって、下枠補助材５０２は、外上側面部５２１ａから室内側端までを構成している。外ホロー部５２３ａは、外溝５２６ａの下側に位置していて、下枠本体５０１の室外側端から外レール５２２ａの直下まで広がっている。また、下枠補助材５０２の外上側面部５２１ａの下側に、中間ホロー部５２３ｄを形成してあり、中間ホロー部５２３ｄの下側に中間空隙部５２３ｃが形成される。また、内レール５２２ｂの下側には、壁面部５２４を形成してある。壁面部５２４は、下枠補助材５０２の内上側面部５２１ｂから下側に延び、途中で室外側に屈曲してさらに下側に延びており、内ホロー部５２３ｂの一部を構成するとともに、内溝５２６ｂのタイト材ホルダ及び内溝５２６ｂの一部を構成している。そして、第一実施形態と同じように、内レール５２２ｂの室内側、すなわち下枠補助材５０２の内上側面部５２１ｂの水平部分には、上面排水孔５２５ａが形成してあり、上面排水孔５２５ａは内ホロー部５２３ｂに連通している。また、内ホロー部５２３ｂの室外側下端部には、下部排水孔５２５ｂが形成してあり、中間空隙部５２３ｃに連通している。よって、内レール５２２ｂの室内側に生じた水の排水経路は、第一実施形態と同じである。さらに、サッシの右側において、外レール５２２ａの室内側、すなわち外上側面部５２１ａの水平部分には、外上面排水孔５２５ｆが形成してあり、外上面排水孔５２５ｆは中間ホロー部５２３ｄに連通している。また、中間ホロー部５２３ｄの下側面には中間排水孔５２５ｇが形成してあり、中間空隙部５２３ｃと連通している。よって、外上側面部５２１ａから、外上面排水孔５２５ｆ、中間ホロー部５２３ｄ、中間排水孔５２５ｇ、中間空隙部５２３ｃ、本体上面排水孔５１５、本体ホロー部５１２及び本体正面排水孔５１６を経由して室外側に連通する排水経路が形成される。なお、サッシの左側においては、外上側面部５２１ａの左端から排水される。その他、内溝５２６ｂ及び外レール５２２ａの室外側に生じた水の排水経路は、第一実施形態と同じである。
【００２３】
次に、本発明の第六実施形態について、図１１に基づき説明する。第六実施形態においては、下枠補助材６０２の外上側面部６２１ａが、室外側部分は略水平で、室内側部分は室外側に向けて緩やかに下方に傾斜している。そして、下枠本体６０１の本体上側面部６１１の室外側端から垂直上方に延びる外起立片６１７が形成されており、下枠補助材６０２の室外側端が外起立片６１７に当接していて、外起立片６１７が外溝６２６ａの室外側壁面を構成している。外ホロー部６２３ａは、外溝６２６ａの下側に位置していて、下枠補助材６０２の室外側端から外レール６２２ａの直下まで広がっている。そして外ホロー部６２３ａの室外側面には正面排水孔６２５ｅが形成してあり、外起立片６１７の対応位置に起立片排水孔６１８が形成してあって、室外側と連通している。よって、外溝６２６ａから、外溝排水孔６２５ｃ、外ホロー部６２３ａ、正面排水孔６２５ｅ及び起立片排水孔６１８を経由して室外側に連通する排水経路が形成される。また、内レール６２２ｂの下側には、壁面部６２４を形成してある。壁面部６２４は、下枠補助材６０２の内上側面部６２１ｂから下側に延び、途中で室外側に屈曲してさらに下側に延びており、内ホロー部６２３ｂの一部を構成するとともに、内溝６２６ｂのタイト材ホルダ及び内溝６２６ｂの一部を構成している。そして、第一実施形態と同じように、内レール６２２ｂの室内側、すなわち下枠補助材６０２の内上側面部６２１ｂの水平部分には、上面排水孔６２５ａが形成してあり、上面排水孔６２５ａは内ホロー部６２３ｂに連通している。また、内ホロー部６２３ｂの室外側下端部には、下部排水孔６２５ｂが形成してあり、中間空隙部６２３ｃに連通している。よって、内レール６２２ｂの室内側に生じた水の排水経路は、第一実施形態と同じである。さらに、サッシの右側において、外レール６２２ａの室内側、すなわち外上側面部６２１ａの水平部分には、外上面排水孔６２５ｆが形成してあり、外上面排水孔６２５ｆは中間空隙部６２３ｃと連通している。よって、外上側面部６２１ａから、外上面排水孔６２５ｆ、中間空隙部６２３ｃ、本体上面排水孔６１５、本体ホロー部６１２及び本体正面排水孔６１６を経由して室外側に連通する排水経路が形成される。なお、サッシの左側においては、外上側面部６２１ａの左端から排水される。その他、内溝６２６ｂに生じた水の排水経路は、第一実施形態と同じである。
【００２４】
次に、本発明の第七実施形態について、図１２に基づき説明する。第七実施形態においては、下枠補助材７０２の外上側面部７２１ａが、室外側部分は略水平で、室内側部分は室外側に向けて緩やかに下方に傾斜している。そして、下枠補助材７０２が、室外側補助材７０２ａと室内側補助材７０２ｂの二部材に分割されている。室外側補助材７０２ａは、室外側端から内上側面部７２１ｂの水平部分までを構成しており、室内側補助材７０２ｂは、内上側面部７２１ｂの傾斜部分から室内側端までを構成していて、内上側面部７２１ｂ及び内ホロー部７２３ｂも室内外に分割されている。内レール７２２ｂの下側には、壁面部７２４を形成してある。壁面部７２４は、室内側補助材７０２ｂの内上側面部７２１ｂから下側に延び、途中で室外側に屈曲してさらに下側に延びており、内ホロー部７２３ｂの一部を構成するとともに、内溝７２６ｂのタイト材ホルダ及び内溝７２６ｂの一部を構成している。そして、第一実施形態と同じように、内レール７２２ｂの室内側、すなわち室外側補助材７０２ａの内上側面部７２１ｂの水平部分には、上面排水孔７２５ａが形成してあり、上面排水孔７２５ａは内ホロー部７２３ｂに連通している。また、内ホロー部７２３ｂの室外側下端部には、下部排水孔７２５ｂが形成してあり、中間空隙部７２３ｃに連通している。よって、内レール７２２ｂの室内側に生じた水の排水経路は、第一実施形態と同じである。なお、下枠本体７０１の起立片７１３の室外側面にタイト材７１９が設けてあって、内ホロー部７２３ｂの室内側面に当接している。さらに、外ホロー部７２３ａは、外溝７２６ａの下側に位置していて、室外側補助材７０２ａの室外側端から外レール７２２ａの直下まで広がっている。そして、サッシの右側において、外レール７２２ａの室内側、すなわち外上側面部７２１ａの水平部分には、外上面排水孔７２５ｆが形成してあり、外上面排水孔７２５ｆは中間空隙部７２３ｃと連通している。よって、外上側面部７２１ａから、外上面排水孔７２５ｆ、中間空隙部７２３ｃ、本体上面排水孔７１５、本体ホロー部７１２及び本体正面排水孔７１６を経由して室外側に連通する排水経路が形成される。なお、サッシの左側においては、外上側面部７２１ａの左端から排水される。その他、内溝７２６ｂ及び外レール７２２ａの室外側に生じた水の排水経路は、第一実施形態と同じである。
【００２５】
なお、第二、第四、第七実施形態のように、下枠補助材を室外側補助材と室内側補助材の二部材に分割すると、両者の色彩を変えることができる。たとえば、下枠本体は、室外側からは見えるが、室内側からは躯体に隠れて見えないので、室外側補助材を下枠本体と同色にし、室内側補助材を躯体と同色にして、室外側と室内側のどちら側から見た場合にも色彩の統一感を持たせるといったことが可能である。また、第五、第六実施形態のように、下枠の上面の室外側の一部を下枠本体と一体に形成した場合にも、下枠補助材を躯体と同色にすれば、同様に色彩の統一感を持たせることができる。
【００２６】
本発明は、上記の実施形態に限定されない。たとえば、窓種は引違い窓に限定されるものではなく、一方の窓が嵌め殺しになった片引き窓などにも適用できる。また、下枠本体や下枠補助材の形状は、例を示したものであって、上記の要件を満たす限り、窓種や寸法に応じて適宜変更できる。さらに、下枠補助材の材質は、樹脂に限られるものではなく、一部又は全部を他の材質により構成してもよい。たとえば、レールの頂部だけを金属製とすれば、戸車の走行による摩耗を防ぐことができるし、下枠補助材の全部を金属製とすれば、より防火性能を高めることができる。
【符号の説明】
【００２７】
１  下枠本体
２  下枠補助材
４ｂ  内障子（障子）
２１ｂ  内上側面部（上側面部）
２２ｂ  内レール（レール）
２３ｂ  内ホロー部（ホロー部）
２４  壁面部
２５ａ  上面排水孔（排水孔）
４１ｂ  戸車
【図１】
2014005609.tif 000003
【図２】
2014005609.tif 000004
【図３】
2014005609.tif 000005
【図４】
2014005609.tif 000006
【図５】
2014005609.tif 000007
【図６】
2014005609.tif 000008
【図７】
2014005609.tif 000009
【図８】
2014005609.tif 000010
【図９】
2014005609.tif 000011
【図１０】
2014005609.tif 000012
【図１１】
2014005609.tif 000013
【図１２】
2014005609.tif 000014